(57)【要約】【課題】  従来に比して一段と多くの入出力ポートを有し、かつ応答性の良いデータ記録再生装置及び時分割アクセス制御方法を実現する。【解決手段】  外部との間でデータを入出力するためのデータポートを複数有する入出力部と、データを記録及び再生する記録手段を複数有する記録再生部と、記録再生部を複数のタイムスロットで時分割して複数のデータポートにアクセスさせる時分割アクセス制御部とをデータ記録再生装置に設け、記録再生部のデータ転送バンド幅は、データポートのデータ転送バンド幅よりも大きく、時分割アクセス制御部は、所定単位のデータを、当該時分割アクセス制御部と記録再生部との間を１タイムスロットで転送するとともに、当該時分割アクセス制御部とデータポートとの間を複数の上記タイムスロットで転送するようにした。【選択図】        図２
2005078385.tif 000002
【特許請求の範囲】
【請求項１】
外部との間でデータを入出力するためのデータポートを複数有する入出力部と、
上記データを記録及び再生する記録手段を複数有する記録再生部と、
上記記録再生部を複数のタイムスロットで時分割して複数の上記データポートにアクセスさせる時分割アクセス制御部と
を具え、
上記記録再生部のデータ転送バンド幅は、上記データポートのデータ転送バンド幅よりも大きく、
上記時分割アクセス制御部は、所定単位の上記データを、上記記録再生部と当該時分割アクセス制御部との間を１タイムスロットで転送するとともに、当該時分割アクセス制御部と上記データポートとの間を複数タイムスロットかけて転送する
ことを特徴とするデータ記録再生装置。
【請求項２】
上記データは映像データ及び音声データでなり、
上記時分割アクセス制御部は、上記映像データを映像用の上記記録手段に記録及び再生するとともに、上記音声データを音声用の上記記録手段に記録及び再生する
ことを特徴とする請求項１に記載のデータ記録再生装置。
【請求項３】
上記時分割アクセス制御部は、１つの上記タイムスロット当たり複数の上記データポートを上記記録再生部にアクセスさせる
ことを特徴とする請求項１に記載のデータ記録再生装置。
【請求項４】
所定のデータを記録及び再生する記録手段を複数有する記録再生部を複数のタイムスロットで時分割して、外部との間で上記データを入出力するための複数のデータポートに時分割アクセスさせるアクセス制御方法において、
上記記録再生部のデータ転送バンド幅は、上記データポートのデータ転送バンド幅よりも大きく、
上記記録再生部から１タイムスロットで入出力された所定単位の上記データを、複数タイムスロットかけて上記データポートから入出力させる
ことを特徴とする時分割アクセス制御方法。
【請求項５】
上記データは映像データ及び音声データでなり、
上記映像データを映像用の上記記録手段に記録及び再生するとともに、上記音声データを音声用の上記記録手段に記録及び再生する
ことを特徴とする請求項４に記載の時分割アクセス制御方法。
【請求項６】
１つの上記タイムスロット当たり、複数の上記データポートを上記記録再生部にアクセスさせる
ことを特徴とする請求項４に記載の時分割アクセス制御方法。
【発明の詳細な説明】
【技術分野】
【０００１】
本発明はデータ記録再生装置及び時分割アクセス制御方法に関し、例えばビデオサーバシステムに適用して好適なものである。
【背景技術】
【０００２】
近年、放送局向けの映像・音声データの記録再生装置として、急速に記録密度が向上して低価格化しつつあるハードディスクドライブ等のランダムアクセス可能な記録再生メディアを使用して、デジタル化された映像・音声データを記録再生する装置が普及しつつある。
【０００３】
一般的に、これらの映像・音声データの記録再生装置（以下、ビデオサーバと言う）においては、要求される映像及び音声データ（以下、これをＡＶ（Audio/Visual）データと呼ぶ）の転送レートが高い上に、放送規格に則って一定時間に一定量のデータを確実に再生、若しくは記録することが要求される。そこで、最近は、ハードディスクドライブを複数台並列運転することにより転送レートを高速化し、更に、パリティデータを記録しておくことにより、万一いずれかのハードディスクドライブが故障しても、元のデータを復元（再構築）できるようにすることで信頼性を確保したＲＡＩＤ（Redundant Arrays of Inexpensive Disks）と呼ばれるディスクアレイ装置が、ビデオサーバにおけるデータの記録再生部として使用されている（例えば、特許文献１参照）。
【０００４】
そして、このようなビデオサーバにおいては、複数の入出力ポートを介したＡＶデータの素材共有を行い得るようになされている。この場合ビデオサーバにおいては、各入出力ポートに対してそれぞれ固有の時間枠（以下、これをタイムスロットと呼ぶ）を割り当てておき、各入出力ポートはそのタイムスロットにおいてディスクアレイ装置にアクセスすることにより、当該ディスクアレイ装置を複数の入出力ポートで時分割使用するようになされている。
【特許文献１】特開２００１−３５６８８３公報
【発明の開示】
【発明が解決しようとする課題】
【０００５】
従来このようなビデオサーバとして、図４に示すように、ＨＤ（High Definition：高精細）信号で８ｃｈ、ＳＤ（Standard Definition：標準精細）信号で１０ｃｈ程度の入出力ポートを有する入出力ユニット２に対して、ＲＡＩＤユニット３が４台接続されて構成されたものがある。そして、このような構成のビデオサーバ１に対し、入出力ポートの更なる増加が求められていた。
【０００６】
しかしながら入出力ポートを増加した場合、ＲＡＩＤユニット３に対する入出力ポートの割り当て周期（サイクル）が増大し、これによりビデオサーバシステム１全体での入出力の応答性が悪化するという問題があった。
【０００７】
本発明は以上の点を考慮してなされたもので、従来に比して一段と多くの入出力ポートを有し、かつ応答性の良いデータ記録再生装置及び時分割アクセス制御方法を提案しようとするものである。
【課題を解決するための手段】
【０００８】
かかる課題を解決するため本発明においては、外部との間でデータを入出力するためのデータポートを複数有する入出力部と、データを記録及び再生する記録手段を複数有する記録再生部と、記録再生部を複数のタイムスロットで時分割して複数のデータポートにアクセスさせる時分割アクセス制御部とをデータ記録再生装置に設け、記録再生部のデータ転送バンド幅は、データポートのデータ転送バンド幅よりも大きく、時分割アクセス制御部は、所定単位のデータを、当該時分割アクセス制御部と記録再生部との間を１タイムスロットで転送するとともに、当該時分割アクセス制御部とデータポートとの間を複数の上記タイムスロットで転送するようにした。
【０００９】
記録再生部と時分割アクセス制御部との間を１タイムスロットで転送したデータを、ともに、時分割アクセス制御部とデータポートとの間を複数タイムスロットかけて転送するようにしたことにより、記録再生部とデータポートのデータ転送バンド幅の差を時分割アクセス制御部で吸収し、これによりデータ記録再生装置のデータポート数を従来に比して一段と増加させることができる。
【００１０】
また本発明においては、時分割アクセス制御部は、映像データを映像用の記録手段に記録及び再生するとともに、音声データを音声用の記録手段に記録及び再生するようにした。そして、１つのタイムスロット当たり、複数のデータポートを記録再生部にアクセスさせるようにした。
【００１１】
これにより、データポート数を増加したことによるポート割り当てサイクルの増大を最小限にし、データ記録再生装置の応答性を向上することができる。
【発明の効果】
【００１２】
本発明によれば、外部との間でデータを入出力するためのデータポートを複数有する入出力部と、データを記録及び再生する記録手段を複数有する記録再生部と、記録再生部を複数のタイムスロットで時分割して複数のデータポートにアクセスさせる時分割アクセス制御部とをデータ記録再生装置に設け、記録再生部のデータ転送バンド幅は、データポートのデータ転送バンド幅よりも大きく、時分割アクセス制御部は、所定単位のデータを、当該時分割アクセス制御部と記録再生部との間を１タイムスロットで転送するとともに、当該時分割アクセス制御部とデータポートとの間を複数の上記タイムスロットで転送するようにしたことにより、記録再生部とデータポートのデータ転送バンド幅の差を時分割アクセス制御部で吸収し、これによりデータポート数を従来に比して一段と増加したデータ記録再生装置を実現できる。
【００１３】
また本発明によれば、映像データを映像用の記録手段に記録及び再生するとともに、音声データを音声用の記録手段に記録及び再生するようにし、１つのタイムスロット当たり複数のデータポートを記録再生部にアクセスさせるようにしたことにより、データポート数を増加したことによるポート割り当てサイクルの増大を最小限にし、これにより応答性を向上したデータ記録再生装置を実現できる。
【発明を実施するための最良の形態】
【００１４】
以下図面について、本発明の一実施の形態を詳述する。
【実施例】
【００１５】
（１）ビデオサーバシステムの全体構成
図４との共通部分に同一符号を付して示す図１において、１０は全体として本発明を適用したデータ記録再生装置としてのビデオサーバシステムを示し、入出力部４及びストレージ部５３が、これらの間のデータ転送を司る時分割アクセス制御部としてのディストリビューション部６を介して接続されている。
【００１６】
入出力部４においては、８台の同一構成でなる入出力ユニット２（２Ａ〜２Ｈ）と、入出力ユニット２Ａ〜２Ｈを介した外部とのＡＶデータの入出力を管理するファイルマネージャ７とを有している。入出力ユニット２Ａ〜２Ｈは、それぞれＨＤ信号対応のデータポートとしての入出力ポートを１０ｃｈ備えており、これによりビデオサーバシステム１０は、全体で外部に対して８×１０ｃｈ＝８０ｃｈの入出力ポートを有する。
【００１７】
実際上、第１の入出力ユニット２Ａには１ｃｈ〜１０ｃｈが割り当てられており、以降同様に、第２の入出力ユニット２Ｂ〜第８の入出力ユニット２Ｈに対し、それぞれ１１ｃｈ〜２０ｃｈ、２１ｃｈ〜３０ｃｈ、３１ｃｈ〜４０ｃｈ、４１ｃｈ〜５０ｃｈ、５１ｃｈ〜６０ｃｈ、６１ｃｈ〜７０ｃｈ、７１ｃｈ〜８０ｃｈが割り当てられている。
【００１８】
一方、記録再生部としてのストレージ部５は、同一構成でなる３６台のＲＡＩＤユニット３を有している。この計３６台のＲＡＩＤユニット３のうち、３２台は映像を記録するための映像ＲＡＩＤユニット３Ｖ（３Ｖ１〜３Ｖ３２）であり、残りの４台は音声を記録再生するための音声映像ＲＡＩＤユニット３Ａ（３Ａ１〜３Ａ４）である。各ＲＡＩＤユニット７は、それぞれ２２台のハードディスクドライブ及びディスクアレイコントローラ（図示せず）で構成される。
【００１９】
各入出力ユニット２はそれぞれ、固有に割り当てられたタイムスロットの間だけストレージ部５を占有し、当該ストレージ部５の各ＲＡＩＤユニット３に対するＡＶデータの記録及び再生を行う。このタイムスロット（ＴＳ）の時間長は、従来と同じ１ＴＳ＝４フレームに選定されている。
【００２０】
ＡＶデータの記録時において、入出力ユニット２は、外部から入出力ポートを介して入力されたＡＶデータに対して所定の圧縮符号化処理を施した後、ディストリビューション部６の記録ディストリビュータ８Ａに供給する。
【００２１】
記録ディストリビュータ８Ａは、入出力ユニット２から供給されたＡＶデータを映像データ及び音声データに分離する。そして記録ディストリビュータ７Ａは、送出元の入出力ユニット２に割り当てられたタイムスロットの間に、映像データを３２台の映像ＲＡＩＤユニット３Ｖ１〜３Ｖ３２に分散記録（ストライピング）するとともに、音声データを４台の音声ＲＡＩＤユニット３Ａ１〜３Ａ４に分散記録する。
【００２２】
またＡＶデータの再生時において、入出力ユニット２は、ディストリビューション部６の再生ディストリビュータ８Ｂを介してストレージ部５からデータを読み出す。
【００２３】
このとき再生ディストリビュータ８Ｂは、送出先の入出力ユニット２に割り当てられたタイムスロットの間に、分散記録された映像データを３２台の映像ＲＡＩＤユニット３Ｖ１〜３Ｖ３２から再生して再構成するとともに、分散記録された音声データを４台の音声ＲＡＩＤユニット３Ａ１〜３Ａ４から再生して再構成し、さらに当該再構成した映像データと音声データとからＡＶデータを再構成して、これを入出力ユニット２に送出する。
【００２４】
入出力ユニット２は、再生ディストリビュータ８Ｂから供給されたＡＶデータに対して所定の復号処理を施して外部に出力する。
【００２５】
かくしてビデオサーバシステム１０は、入出力部４において従来に比して８倍の計８台の入出力ユニット２を設けるとともに、ストレージ部５においても約８倍の計３６台のＲＡＩＤユニット３を設けることにより、ストレージ部５に記録したＡＶデータに対し、従来の１０倍にあたる８０ｃｈという極めて多数の入出力ポートを介した素材共有及び同時アクセスを行い得るようになされている。
【００２６】
ここで、ＡＶデータには、ＬＴＣ（Longitudinal Time Code）やＶＩＴＣ（Vertical
Interval Time Code）等のタイムコード、ＵＭＩＤ（Unique Material Identifier）と呼ばれる素材識別情報、映像の特徴等をテキストデータで記述したエッセンスマークや字幕データ等の各種付加情報（以下、これをメタデータと呼ぶ）が付加されている。ＡＶデータの記録時において記録ディストリビュータ８Ａは、このメタデータをＡＶデータから分離し、映像ＲＡＩＤユニット３Ｖ１〜３Ｖ３２に分散記録する。そして、ＡＶデータの再生時において再生ディストリビュータ８Ｂは、映像ＲＡＩＤユニット３Ｖ１〜３Ｖ３２から再生してＡＶデータに付加する。
【００２７】
（２）ビデオサーバシステムにおけるアクセスタイミングの詳細
上述したようにビデオサーバシステム１０においては、従来の約８倍の計３６台のＲＡＩＤユニット３で構成されるストレージ部５を、従来の８倍の計８台の入出力ユニット２で構成される入出力部４の８０ｃｈの入出力ポートで共用するようになされている。
【００２８】
これにより、単純に１タイムスロット当たり１ｃｈの入出力ポートを割り当てた場合、各入出力ポートの割り当てサイクルは従来比８倍の８０タイムスロットに一度、すなわち８０×４フレーム＝３２０フレーム毎となり、ビデオサーバシステム１０全体の入出力レスポンスが悪化することになる。
【００２９】
ここで、一般にハードディスクドライブには所定時間当たりの最大シーク数が設定されている。そして、このビデオサーバシステム１０で用いられるＲＡＩＤユニット３においては、１タイムスロット当たり最大８シークが保証されている。従来のビデオサーバシステム１では、映像データ及び音声データを同一のＲＡＩＤ３ユニットに記録していたため、映像１カット当たりで、映像データ１シーク及び音声データ１シークの計２シークが発生していた。これにより従来のビデオサーバシステム１の構成では、１タイムスロット当たり最大４カットのＡＶデータを入出力することができる。
【００３０】
これに対して本発明によるビデオサーバシステム１０では、上述したように、映像データと音声データとをそれぞれ専用の映像ＲＡＩＤユニット７Ｖ及び音声ＲＡＩＤユニット７Ａに記録するようにしたことにより、１タイムスロット当たり映像データ及び音声データがそれぞれ独立して８シークを行うことができ、これによりこのビデオサーバシステム１０では、従来の２倍に相当する１タイムスロット当たり最大８カットのＡＶデータを入出力することができる。
【００３１】
このため、ビデオサーバシステム１０で保証する１タイムスロット当たりの最大カット数を従来と同等の４カットとするならば、１タイムスロット当たり２ｃｈ分のＡＶデータをＲＡＩＤユニット７に記録または再生し得ることになる。
【００３２】
本発明によるビデオサーバシステム１０では、１タイムスロットに２ｃｈの入出力ポートを割り当てるようにしたことにより、従来比８倍の８０ｃｈの入出力ポートを設けたにも関わらず、入出力ポートの割り当て間隔を従来比４倍の４０タイムスロットに抑え、応答性の低下を軽減することができる。
【００３３】
また、上述したようにこのビデオサーバシステム１０においては、計３６台のＲＡＩＤユニット３でストレージ部５を構成した。これにより、ストレージ部５全体における１タイムスロットで読み書きできるデータ量（すなわち、ストレージ部５全体のデータ転送バンド幅）は従来比で約８倍になる。
【００３４】
これに対して、各入出力ユニット２当たりのデータ伝送速度（データ転送バンド幅）は従来と同一である。このため各入出力ユニット２は、ストレージ部５が１タイムスロットで記録・再生するデータを、８タイムスロットかけて当該ストレージ部５との間で伝送することになり、データ転送バンド幅にアンバランスが生じることになる。
【００３５】
このためこのビデオサーバシステム１０においては、ディストリビューション部６の記録ディストリビュータ８Ａ及び再生ディストリビュータ８Ｂの内部にそれぞれ記録バッファ及び再生バッファ（図示せず）を設け、当該バッファによって入出力部４〜ディストリビューション部６間とディストリビューション部６〜ストレージ部５間のデータ転送バンド幅の差を吸収するようになされている。
【００３６】
次に、上述したビデオサーバシステム１０におけるアクセスタイミングを、図２及び図３に示すタイミングチャートを用いて詳細に説明する。
【００３７】
すなわち図２に示すＡＶデータの記録時において、第１の入出力ユニット２Ａは、その入出力ポート１ｃｈ及び２ｃｈから入力されたＡＶデータを１〜８の８タイムスロットかけて記録ディストリビュータ８Ａに伝送する。記録ディストリビュータ８Ａは、１ｃｈ及び２ｃｈのＡＶデータを映像データ及び音声データに分離し、これらを１タイムスロットでストレージ部５に伝送する。
【００３８】
１タイムスロット遅れて第２の入出力ユニット２Ｂは、その入出力ポート１１ｃｈ及び１２ｃｈから入力されたＡＶデータを２〜９の８タイムスロットかけて記録ディストリビュータ８Ａに伝送する。記録ディストリビュータ８Ａは、１１ｃｈ及び１２ｃｈのＡＶデータを映像データ及び音声データに分離し、これらを１タイムスロットでストレージ部５に伝送する。
【００３９】
さらに１タイムスロット遅れて第３の入出力ユニット２Ｃは、その入出力ポート２１ｃｈ及び２２ｃｈから入力されたＡＶデータを３〜１０の８タイムスロットかけて記録ディストリビュータ８Ａに伝送する。記録ディストリビュータ８Ａは、１１ｃｈ及び１２ｃｈのＡＶデータを映像データ及び音声データに分離し、これらを１タイムスロットでストレージ部５に伝送する。
【００４０】
以降、第４の入出力ユニット２Ｄ〜第８の入出力ユニット２Ｈはそれぞれ２ｃｈ分のＡＶデータを８タイムスロットかけて伝送する。このような第１の入出力ユニット２Ａ〜第８の入出力ユニット２Ｈのローテーションを５回繰り返すことにより、ビデオサーバシステム１０は８０ｃｈの入出力ポートを１サイクル４０タイムスロットで一巡してストレージ部５に対する記録を行う。
【００４１】
また図３に示すＡＶデータの再生時において、再生ディストリビュータ８Ｂは、第１の入出力ユニット２Ａから指定された１ｃｈ及び２ｃｈの映像データ及び音声データを、ストレージ部５から１タイムスロットで読み出す。そして再生ディストリビュータ８Ｂは、当該映像データ及び音声データを再構成してＡＶデータを生成し、これを１〜８の８タイムスロットかけて第１の入出力ユニット２Ａに伝送する。
【００４２】
続いて再生ディストリビュータ８Ｂは、第２の入出力ユニット２Ｂから指定された１１ｃｈ及び１２ｃｈの映像データ及び音声データを、ストレージ部５から１タイムスロットで読み出す。そして再生ディストリビュータ８Ｂは、当該映像データ及び音声データを再構成してＡＶデータを生成し、これを２〜９の８タイムスロットかけて第２の入出力ユニット２Ｂに伝送する。
【００４３】
さらに再生ディストリビュータ８Ｂは、第３の入出力ユニット２Ｃから指定された２１ｃｈ及び２２ｃｈの映像データ及び音声データを、ストレージ部５から１タイムスロットで読み出す。そして再生ディストリビュータ８Ｂは、当該映像データ及び音声データを再構成してＡＶデータを生成し、これを３〜１０の８タイムスロットかけて第３の入出力ユニット２Ｃに伝送する。
【００４４】
以降、再生ディストリビュータ８Ｂは第４の入出力ユニット２Ｄ〜第８の入出力ユニット２Ｈから指定された２ｃｈ分の映像データ及び音声データを順次ストレージ部５から読み出し、再構成したＡＶデータをそれぞれ８タイムスロットかけて対応する入出力ユニット２に伝送する。
【００４５】
このようなローテーションを５回繰り返すことにより、ビデオサーバシステム１０は８０ｃｈの入出力ポートを１サイクル４０タイムスロットで一巡してストレージ部５からの再生を行う。
【００４６】
ここで図２及び図３に示すように、記録ディストリビュータ８Ａ及び再生ディストリビュータ８Ｂにおいては、それぞれ各入出力ユニット２Ａ〜２Ｈとの間のデータ伝送タイミングを１タイムスロットずつずらしてタイムスケジュールを組んだことにより、ストレージ部に対する同時アクセスを防止するとともに、記録ディストリビュータ８Ａ及び再生ディストリビュータ８Ｂ内におけるＡＶデータの集中や滞留を最小限にし、バッファ容量やデータ伝送遅延を最低限に抑えるようになされている。
【００４７】
（３）動作及び効果
以上の構成において、このビデオサーバシステム１０では、８台の入出力ユニット２によって８０ｃｈの入出力ポートを有する入出力部４を構成するとともに、３６台のＲＡＩＤユニット３でストレージ部５を構成した。
【００４８】
そしてこのビデオサーバシステム１０では、ＡＶデータをディストリビューション部６において映像データと音声データとに分離するとともに、３６台のＲＡＩＤユニット３のうちの一部を、映像データ記録用の映像ＲＡＩＤユニット３Ｖとして割り当てるとともに、残りを音声データ記録用の音声ＲＡＩＤユニット３Ａとして割り当てた。
【００４９】
このようにこのビデオサーバシステム１０では、映像データ及び音声データをそれぞれ専用の映像ＲＡＩＤユニット３Ｖ及び音声ＲＡＩＤユニット３Ａに記録するようにしたことにより、１タイムスロット当たりのストレージ部５に入出力できるカット数を倍増させた。そして、この入出力可能なカット数の増加を利用して、１タイムスロットに対して２ｃｈの入出力ポートを割り当てるようにした。
【００５０】
これによりこのビデオサーバシステム１０では、入出力ポートを従来の８倍に増加したにも関わらず、入出力ポートの割り当てサイクルを従来比４倍の４０タイムスロットに抑え、応答性の低下を低減することができる。
【００５１】
また、このビデオサーバシステム１０では、入出力部４とストレージ部５との間に、データの分配及び再構成を行うディストリビューション部６を設け、記録ディストリビュータ８Ａ及び再生ディストリビュータ８Ｂの記録バッファ及び再生バッファによって入出力部４〜ディストリビューション部６間とディストリビューション部６〜ストレージ部５間のデータ転送バンド幅の差を吸収するようにしたことにより、多数のＲＡＩＤユニット３を並列に設けたストレージ部５を多数の入出力ポートで共有し得るようにした。
【００５２】
以上の構成によれば、映像データ及び音声データをそれぞれ専用の映像ＲＡＩＤユニット３Ｖ及び音声ＲＡＩＤユニット３Ａに記録するようにしたことにより、ストレージ部５に対して１タイムスロットあたり２ｃｈの入出力ポートを割り当て得るようにし、これにより入出力ポートの割り当てサイクルを短縮して応答性の低下を低減することができる。
【００５３】
また、入出力部４とストレージ部５との間に、データの分配及び再構成を行うディストリビューション部６を設け、入出力部４とストレージ部５のデータ転送バンド幅の差をディストリビューション部６で吸収することにより、多数のＲＡＩＤユニット３を並列に設けたストレージ部５を多数の入出力ポートで共有することができる。
【００５４】
（４）他の実施の形態
なお上述の実施の形態においては、映像データ及び音声データを分離してそれぞれ専用の映像ＲＡＩＤユニット３Ｖ及び音声ＲＡＩＤユニット３Ａに記録するようにしたことにより、１タイムスロット当たりの入出力カット数を４カットに保ったまま、１タイムスロットあたり２ｃｈの入出力ポートを割り当て得るようにしたが、本発明はこれに限らず、１タイムスロット当たりの入出力カット数を制限すれば、１タイムスロットあたりの割り当て入出力ポート数をさらに増加させることができる。例えば１タイムスロット当たりのカット数を２カットに制限すれば、１タイムスロットあたり４ｃｈの入出力ポートを割り当てることができ、これにより入出力ポートの割り当てサイクルを２０タイムスロットに半減することができる。
【００５５】
この場合、ストレージ部５に対する記録時において、ファイルシステムで管理している記録領域に対して１タイムスロットで記録し得る単位よりも小さい領域を作らない（短いカットを記録しない）ようにするとともに、再生時において、１タイムスロットで再生し得る単位よりも短いカットは、その前後のデータとともに再生するようにすればよい。
【００５６】
また上述の実施の形態においては、映像データ及び音声データを分離してそれぞれ専用の映像ＲＡＩＤユニット３Ｖ及び音声ＲＡＩＤユニット３Ａに記録するようにしたことにより、１タイムスロットあたり２ｃｈの入出力ポートを割り当て得るようにしたが、本発明はこれに限らず、ストレージ部５のＲＡＩＤユニット３の台数を倍増して当該ＲＡＩＤユニット３を２つのグループに分けて管理するようにし、記録時においては２つのグループに同一のＡＶデータを記録するとともに、再生時においてはグループ毎に異なるカットを読み出すようにすれば、１タイムスロット当たりの割り当て入出力ポート数をさらに増加させることができ、これにより入出力ポートの割り当てサイクルを低減することができる。
【００５７】
さらに、上述の実施の形態においては、８台の入出力ユニット２で入出力部４を構成し、全体として８０ｃｈのＨＤ信号対応の入出力ポートを設けるようにしたが、本発明はこれに限らず、入出力ユニット２の台数を適宜変更して入出力ポートのｃｈ数を増減したり、あるいはＨＤ信号対応の入出力ポートに変えてＳＤ信号対応の入出力ポートを設けてもよく、またストレージ部５におけるＲＡＩＤユニット３の台数も適宜変更してもよい。
【産業上の利用可能性】
【００５８】
本発明は、ビデオサーバシステムの他にも、種々のデータを記録及び再生する様々なデータ記録／再生システムに適用できる。
【図面の簡単な説明】
【００５９】
【図１】本発明によるビデオサーバシステムの全体構成を示すブロック図である。
【図２】記録時における入出力ユニット〜ストレージ部の間のデータ伝送タイミングを示すタイミングチャートである。
【図３】再生時におけるストレージ部〜入出力ユニットの間のデータ伝送タイミングを示すタイミングチャートである。
【図４】従来のビデオサーバシステムの全体構成を示すブロック図である。
【符号の説明】
【００６０】
１、１０……ビデオサーバシステム、２……入出力ユニット、３……ＲＡＩＤユニット、４……入出力部、５……ストレージ部、６……ディストリビューション部、７……ファイルマネージャ、８Ａ……記録ディストリビュータ、８Ｂ……再生ディストリビュータ。
【図１】
2005078385.tif 000003
【図２】
2005078385.tif 000004
【図３】
2005078385.tif 000005
【図４】
2005078385.tif 000006